(57)【要約】      （修正有）【課題】取り付け作業が容易な水栓固定手段を提供する。【解決手段】水道管が通過する取付孔２１０を有する平面板部２００に固定されて水栓が取付可能な水栓固定手段であって、略板状に形成されていると共に、取付孔に対応した管貫通孔１１１と、２つの第１の縄貫通孔１１２と、第１のボルト取付孔１１３と、が形成された第１の取付部１０と、略板状に形成されていると共に、第１のボルト取付孔に対応する第２のボルト取付孔２１１が形成された第２の取付部２０と、両端が第１の取付部の２つの第１の縄貫通孔をそれぞれ挿通して第２の取付部に接続される一本の接続糸３０と、第１のボルト取付孔及び第２のボルト取付孔を一斉に貫通すると共に、第１の取付部及び第２の取付部に固定される固定ボルト４０と、を備える。【選択図】図５
0003221011.tif 000002
【実用新案登録請求の範囲】
【請求項１】
水道管が通過する取付孔を有する平面板部に固定されて水栓が取り付けられる水栓固定手段であって、
第１の上面と該第１の上面の反対側にある第１の下面とを有するように略板状に形成されていると共に、前記第１の上面から前記第１の下面まで貫通し、前記取付孔に対応した管貫通孔と、２つの第１の縄貫通孔と、第１のボルト取付孔と、が形成された第１の取付部と、
第２の上面と該第２の上面の反対側にある第２の下面とを有するように略板状に形成されていると共に、前記第２の上面から前記第２の下面まで貫通し、且つ、前記第１のボルト取付孔に対応する第２のボルト取付孔が形成された第２の取付部と、
前記第１の取付部の前記第１の上面側から２つの前記第１の縄貫通孔をそれぞれ挿通して前記第２の取付部に接続される２つの通過糸部と、両端が前記第１の取付部の上側で２つの前記通過糸部をそれぞれ接続している糸連結部と、を有する一本の接続糸と、
前記第１の取付部に形成された前記第１のボルト取付孔及び前記第２の取付部に形成された前記第２のボルト取付孔を一斉に貫通すると共に、該前記第１の取付部及び前記第２の取付部に固定される固定ボルトと、
を備えたことを特徴とする水栓固定手段。
【請求項２】
前記第２の取付部は、２つの第２の縄貫通孔を更に有しており、
前記接続糸は、前記両端にそれぞれ前記第２の縄貫通孔の口径よりも太い固定ブロックが接続されていると共に、前記接続糸が２つの前記第２の縄貫通孔をそれぞれ通過し、２つの前記固定ブロックが前記第２の取付部の前記第２の下面に当接することにより、前記第２の取付部に接続されることを特徴とする請求項１に記載の水栓固定手段。
【請求項３】
前記第２の取付部は、前記略板状に形成された取付部本体と、前記取付部本体と前記平面板部との間に介在するように前記第２の上面に取り付けられた複数の滑り止め体と、を備えたことを特徴とする請求項２に記載の水栓固定手段。
【請求項４】
前記第１の取付部に形成された２つの前記第１の縄貫通孔は、前記第１のボルト取付孔の両側にそれぞれ形成されており、
前記第２の取付部に形成された２つの前記第２の縄貫通孔は、前記第２のボルト取付孔の両側にそれぞれ形成されていることを特徴とする請求項２又は請求項３に記載の水栓固定手段。
【請求項５】
前記第１の取付部は、前記第１の下面に、環状の受け入れ溝が形成されており、
前記受け入れ溝内に嵌め込まれることができるリング状の滑り止め手段を更に備えたことを特徴とする請求項１〜４の何れか１項に記載の水栓固定手段。
【請求項６】
前記第１の取付部は、ねじ孔である２つの水栓固定孔を更に有しており、
前記水道管と前記水栓の両方と接続して前記水道管からの水を前記水栓に供給可能に構成されている水栓接続体と、
前記水栓接続体を貫通して前記水栓固定孔と係合することによって前記水栓接続体を前記第１の取付部に固定する２つのねじと、
を更に備えたことを特徴とする請求項１〜５の何れか１項に記載の水栓固定手段。
【請求項７】
前記第２の取付部は、所定の長手方向に最大長さを有し、そして該長手方向と直交する幅方向に、前記最大長さより短い幅を有しており、前記第２の取付部は、該長手方向が前記平面板部と略直交する姿勢では前記取付孔を通過可能であり、且つ、前記長手方向が前記平面板部と略並行となる姿勢では前記取付孔を通過不可能であることを特徴とする請求項１〜６の何れか１項に記載の水栓固定手段。
【考案の詳細な説明】
【技術分野】
【０００１】
本考案は、水栓固定手段に関し、特に、取り付け作業が容易な水栓固定手段に関する。
【背景技術】
【０００２】
図１は、従来の自動水栓が示される分解斜視図であり、図２は、図１に示された自動水栓の断面図である。図１と図２に示されるように、該自動水栓は、固定ユニット１と弁ユニット２とを備える。該固定ユニット１は、平面板部３（例えば、流し台）の上面に設置された固定座１０１と、該平面板部３の下面に設置された下固定体１０２と、ボルト１０３と、該ボルト１０３に螺合するナット１０４と、該ナット１０４に当接するブロック体１０５と、２つのねじ１０６と、を具える。
【０００３】
ボルト１０３は、ブロック体１０５と下固定体１０２を貫通して固定座１０１と係合する。２つのねじ１０６はそれぞれブロック体１０５に螺合して下固定体１０２を下から支持する。これによって、下固定体１０２と固定座１０１は協働して平面板部３を上下から挟んで当接することができ、固定座１０１の位置が固定される。
【先行技術文献】
【特許文献】
【０００４】
【特許文献１】台湾特許第Ｉ３５０３５４号明細書
【考案の概要】
【考案が解決しようとする課題】
【０００５】
使用者が従来の自動水栓の固定ユニット１を上記のように平面板部３に固定して取り付ける際に、平面板部３が視野を遮ることによって、ブロック体１０５と下固定体１０２とにそれぞれ設けられてボルトが通過するための貫通孔を位置合わせしにくい。その上、平面板部３の下方、例えば、流し台の下方に潜って取付作業を実行することは、平面板部３の下方にある空間が狭すぎるので取付作業を実行しにくい。
【０００６】
よって、本考案は上記の問題点に鑑みて、取り付け作業が容易な水栓固定手段を提供する。
【課題を解決するための手段】
【０００７】
上記の目的を達成すべく、本考案は、水道管が通過する取付孔を有する平面板部に固定されて水栓が取り付けられる水栓固定手段であって、第１の上面と該第１の上面の反対側にある第１の下面とを有するように略板状に形成されていると共に、前記第１の上面から前記第１の下面まで貫通し、前記取付孔に対応した管貫通孔と、２つの第１の縄貫通孔と、第１のボルト取付孔と、が形成された第１の取付部と、第２の上面と該第２の上面の反対側にある第２の下面とを有するように略板状に形成されていると共に、前記第２の上面から前記第２の下面まで貫通し、且つ、前記第１のボルト取付孔に対応する第２のボルト取付孔が形成された第２の取付部と、前記第１の取付部の前記第１の上面側から２つの前記第１の縄貫通孔をそれぞれ挿通して前記第２の取付部に接続される２つの通過糸部と、両端が前記第１の取付部の上側で２つの前記通過糸部をそれぞれ接続している糸連結部と、を有する一本の接続糸と、前記第１の取付部に形成された前記第１のボルト取付孔及び前記第２の取付部に形成された前記第２のボルト取付孔を一斉に貫通すると共に、該前記第１の取付部及び前記第２の取付部に固定される固定ボルトと、を備える水栓固定手段を提供する。
【考案の効果】
【０００８】
以上のように、本考案による水栓固定手段の実施形態における接続糸が第２の取付部に接続されると共に第１の取付部の縄貫通孔を順次挿通することによって、使用者は接続糸を片手で引張りながらボルトドライバを片手で操作して、固定ボルトを第１のボルト取付孔に挿通させて第２のボルト取付孔と係合することができ、取付作業が容易である。
【図面の簡単な説明】
【０００９】
【図１】従来の自動水栓が示された分解斜視図である。
【図２】図１に示された自動水栓の断面図である。
【図３】本考案による水栓固定手段の実施形態が平面板部に取り付けられると共に水栓に接続された様子を示す斜視図である。
【図４】該実施形態と該平面板部と該水栓との組み合せにおける一部分解斜視図である。
【図５】該実施形態と該平面板部を示す分解斜視図である。
【図６】該実施形態と該平面板部を示す断面図である。
【図７】図６における破線ＶＩＩ−ＶＩＩによる一部断面図である。
【図８】該実施形態における水栓接続体が第１の取付部にねじで固定される様子を示す一部断面図である。
【図９】該実施形態における接続糸が引っ張られて第２の取付部を第１の取付部に接近して平面板部に当接する様子を示す断面図である。
【図１０】該実施形態の変形例が示される斜視図である。
【図１１】該実施形態の変形例が示される分解斜視図である。
【考案を実施するための形態】
【００１０】
以下、本考案の水栓固定手段について図３〜図５を参照して説明する。ここで、図３は本考案による水栓固定手段１００の実施形態が平面板部２００に取り付けられると共に水栓３００に接続された様子を示す斜視図であり、図４は該実施形態と平面板部２００と該水栓３００との組み合せにおける一部分解斜視図であり、図５は該実施形態と平面板部２００を示す分解斜視図である。
【００１１】
図３、図４、及び図５に示されるように、本考案による水栓固定手段１００は、水道管が通過する取付孔２１０を有する平面板部２００に固定されて水栓３００が取り付けられる水栓固定手段である。本実施形態において、平面板部２００は、例えば、台所の流し台や風呂場の洗面台などにおける水栓３００が取付可能な部分の平面である。
【００１２】
水栓固定手段１００は、略板状に形成されている第１の取付部１０と、第２の上面と該第２の上面の反対側にある第２の下面とを有するように略板状に形成されている第２の取付部２０と、一本の接続糸３０と、固定ボルト４０と、水道管と水栓３００の両方と接続して水道管からの水を水栓３００に供給可能に構成されている水栓接続体５０と、２つのねじ６０と、を備える。
【００１３】
図６は、該実施形態と平面板部２００を示す断面図であり、図７は、図６における破線ＶＩＩ−ＶＩＩによる一部断面図である。図５〜図７に示されるように、第１の取付部１０には、第１の上面と該第１の上面の反対側にある第１の下面とを有するように略板状に形成されていると共に、第１の上面から第１の下面まで貫通し、取付孔２１０に対応した管貫通孔１１１と、２つの第１の縄貫通孔１１２と、第１のボルト取付孔１１３と、ねじ孔である２つの水栓固定孔１１４と、第１の下面にある環状の受け入れ溝１１５と、が形成される。
【００１４】
管貫通孔１１１は、取付孔２１０を通過する水道管が通過するように形成される。第１の取付部１０に形成された２つの第１の縄貫通孔１１２は、第１のボルト取付孔１１３の両側にそれぞれ形成されている。特に、本実施形態において、２つの第１の縄貫通孔１１２は第１のボルト取付孔１１３の両側に対称的に形成される。また、第１の取付部１０は、受け入れ溝１１５内に嵌め込まれるリング状の滑り止め手段１２を更に備える。
【００１５】
第２の取付部２０は、第２の上面と該第２の上面の反対側にある第２の下面とを有するように略板状に形成された取付部本体２１と、取付部本体２１と平面板部２００との間に介在するように第２の上面に取り付けられた複数の滑り止め体２２と、を備える。取付部本体２１には、第２の上面から第２の下面まで貫通し、且つ、第１のボルト取付孔１１３に対応する第２のボルト取付孔２１１と、２つの第２の縄貫通孔２１２と、が形成される。それらの２つの第２の縄貫通孔２１２は、第２のボルト取付孔２１１の両側にそれぞれ形成される。
【００１６】
本実施形態において、２つの第２の縄貫通孔２１２は、第２のボルト取付孔２１１の両側にそれぞれ対称的に形成される。第２の取付部２０は、該長手方向が平面板部２００と略直交する姿勢では取付孔２１０を通過可能であり、且つ、長手方向が平面板部２００と略並行となる姿勢では取付孔２１０を通過不可能である。
【００１７】
本実施形態において、平面板部２００に形成された取付孔２１０の直径又は最大直径を口径Ｄとし、第２の取付部２０は、所定の長手方向に最大長さＷ１を有し、そして該長さ方向と直交する幅方向に、前記最大長さＷ１より短い幅Ｗ２を有しており、最大長さＷ１は口径Ｄより大きく、幅Ｗ２は口径Ｄより小さい。また、水栓の寸法、又は水道管の寸法によって取付孔２１０の口径Ｄが改変された場合、寸法が適した第２の取付部２０を備えた水栓固定手段１００を選ぶことで、上記のように実施される実施形態も、本考案の水栓固定手段１００の実施形態に属することを注意されたい。
【００１８】
図４と図５と図７とに示されるように、接続糸３０は、糸連結部３１と２つの通過糸部３２とを有する。糸連結部３１は、両端が第１の取付部１０の上側で２つの通過糸部３２をそれぞれ接続している。通過糸部３２は、それぞれ第１の取付部１０の第１の上面側から２つの第１の縄貫通孔１１２をそれぞれ挿通して第２の取付部２０に接続される。本実施形態において、２つの通過糸部３２の端部である接続糸３０の両端にそれぞれ第２の縄貫通孔２１２の口径よりも太い固定ブロック３２１が接続されていると共に、通過糸部３２が２つの第２の縄貫通孔２１２をそれぞれ通過し、２つの固定ブロック３２１が第２の取付部２０の第２の下面に当接することにより、第２の取付部２０に接続される。
【００１９】
他の実施形態において、接続糸３０の両端にそれぞれ第２の縄貫通孔２１２の口径よりも太い結び目、例えば、止め結びを結び、若しくは両端にそれぞれ第２の縄貫通孔２１２の口径より大きいクリップを固定することにより、接続糸３０が第２の取付部２０に接続されることができる。
【００２０】
図８は、該実施形態における水栓接続体５０が第１の取付部１０にねじ６０で固定される様子を示す一部断面図である。図４と図５と図８とに示されるように、固定ボルト４０は、第１の取付部１０に形成された第１のボルト取付孔１１３、平面板部２１０における取付孔２１０、及び第２の取付部２０に形成された第２のボルト取付孔２１１を一斉に貫通すると共に、該第１の取付部１０及び第２の取付部２０に固定される。
【００２１】
水栓接続体５０は、水道管と水栓３００との両方と接続して水道管からの水を水栓３００に供給可能に構成され、例えば、管継手などの部品を含んでいる。ねじ６０は、水栓接続体５０を貫通して水栓固定孔１１４と係合することによって水栓接続体５０を第１の取付部１０に固定する。本実施形態において、水栓接続体５０は、水栓３００の取付作業において必要であればねじ６０で第１の取付部１０に固定されても良く、必要がない場合、水栓接続体５０なしで水栓３００の取付作業を行っても良い。
【００２２】
図９は、該実施形態における接続糸３０が引っ張られて第２の取付部２０を第１の取付部１０に接近して平面板部２００に当接する様子を示す断面図である。使用者が水栓固定手段１００を平面板部２００に取り付ける際には、まず、第２の取付部２０を取って長手方向が平面板部２００と略直交するように取付孔２１０を通過させて平面板部２００の下方に移動させる。
【００２３】
続いて、第１の取付部１０を平面板部２００に取付孔２１０に対応する位置に置いて、管貫通孔１１１を取付孔２１０に位置合わせさせる。その後、図９に示されるように、使用者は片手で接続糸３０の第１の取付部１０の上にある部分を上方に向かって引張りながら、別の手で直接又は片手で例えばボルトドライバ（図示せず）を使って固定ボルト４０を第１のボルト取付孔１１３に通過させて第２の取付部２０の第２のボルト取付孔２１１と係合させる。
【００２４】
ここで、接続糸３０が引っ張られていることによって、第１の取付部１０と第２の取付部２０の間の距離が最小限まで縮まると共に、第１のボルト取付孔１１３と第２のボルト取付孔２１１は、固定ボルト４０が一斉に貫通できる位置に移動される。固定ボルト４０で第１の取付部１０及び第２の取付部２０を固定し、この水栓固定手段１００を平面板部２００に固定した後、使用者が手を放すと接続糸３０を自然に重力により下方に引っ張られる。この後、水栓接続体５０を２つのねじ６０で第１の取付部１０に固定する。
【００２５】
図１０該実施形態の変形例が示される斜視図であり、図１１は、該実施形態の変形例が示される分解斜視図である。本変形例において、水栓４００を第１の取付部１０に固定するには、水栓接続体５０は不要である。
【産業上の利用可能性】
【００２６】
以上により、本考案による水栓固定手段１００の実施形態における接続糸３０が、第２の取付部２０に接続されると共に、第１の取付部１０の縄貫通孔１１２を順次挿通することによって、使用者は、平面板部２００の下方に潜る必要がなく、接続糸３０を片手で引っ張りながらボルトドライバを片手で操作して固定ボルト４０を第１のボルト取付孔１１３に挿通させて第２のボルト取付孔２１１と係合することができ、取付作業が簡単である。
【符号の説明】
【００２７】
１  固定ユニット
１０１  固定座
１０２  下固定体
１０３  ボルト
１０４  ナット
１０５  ブロック体
１０６  ねじ
２  弁ユニット
３  平面板部
１００  水栓固定手段
２００  平面板部
２１０  取付孔
３００  水栓
４００  水栓
１０  第１の取付部
１１１  管貫通孔
１１２  第１の縄貫通孔
１１３  第１のボルト取付孔
１１４  水栓固定孔
１１５  受け入れ溝
１２  滑り止め手段
２０  第２の取付部
２１  取付部本体
２１１  第２のボルト取付孔
２１２  第２の縄貫通孔
２２  滑り止め体
３０  接続糸
３２１  固定ブロック
４０  固定ボルト
５０  水栓接続体
６０  ねじ
Ｗ１  最大長さ
Ｗ２  幅
Ｄ  取付孔２１０の口径
【図１】
0003221011.tif 000003
【図２】
0003221011.tif 000004
【図３】
0003221011.tif 000005
【図４】
0003221011.tif 000006
【図５】
0003221011.tif 000007
【図６】
0003221011.tif 000008
【図７】
0003221011.tif 000009
【図８】
0003221011.tif 000010
【図９】
0003221011.tif 000011
【図１０】
0003221011.tif 000012
【図１１】
0003221011.tif 000013